(57)【要約】 【課題】電子機器を大型化することなく、少ない部品点数で放熱性能を向上させつつ、ユーザーが機器を保持するグリップが高温化してユーザーに違和感を与えない様な構造を提供する。【解決手段】電子機器の前面を覆い、一部が膨出したグリップを有する金属製の外装カバーと、外装カバーの外側に固定され低熱伝導率の化粧部材と、熱が発生する電気素子が実装される回路基板と、電子素子の表面に接触する弾性かつ熱伝導性を有する第１の熱伝導部材と、外装カバーの内壁面に接触する弾性かつ熱伝導性を有する第２の熱伝導部材と、前記第１および第２の熱伝導部材の表面に接触する伝熱部材とを有し、外装カバーの膨出部と非膨出部との間には開口部が設置され、第２の熱伝導部材は外装カバーの非膨出部の内壁面に接触し、外装カバーの開口部はインナー部材および化粧部材にて塞ぐ。【選択図】  図１
2015114524.tif 000002
【特許請求の範囲】
【請求項１】
電子機器（１）の前面を覆い、一部が膨出したグリップ（１ａ、２０ａ）を有する金属製の外装カバー（２０）と、
前記外装カバーの外側に固定され金属よりも熱伝導率の低い材料からなる化粧部材（２６、２７）と、
熱が発生する電気素子が実装される回路基板（１４）と、
前記電子素子の表面に接触する弾性かつ熱伝導性を有する第１の熱伝導部材（２９、３０）と、
前記外装カバーの内壁面に接触する弾性かつ熱伝導性を有する第２の熱伝導部材（３１）と、  
前記第１および第２の熱伝導部材の表面に接触する伝熱部材（２２）と、を有し、
前記外装カバーの膨出部（２０ａ）と非膨出部（２０ｂ、２０ｃ）との間には開口部（２０ｄ）が設置され、前記第２の熱伝導部材は前記外装カバーの非膨出部（２０ｂ）の内壁面に接触し、
前記外装カバーの開口部は前記化粧部材（２６、２７）にて塞がれていることを特徴とする電子機器。
【請求項２】
前記外装カバーの開口部は、前記外装カバーの内側に固定され金属よりも熱伝導率の低い材料からなるインナー部材（２１）に塞がれて、前記外装カバーを前記インナー部材および前記化粧部材にて挟持するようにネジ（２８）固定することを特徴とする、請求項１に記載の電子機器。
【請求項３】
前記外装カバーの開口部周囲は半抜き凹部（２０ｅ）を有していることを特徴とする、請求項１又は請求項２に記載の電子機器。
【発明の詳細な説明】
【技術分野】
【０００１】
本発明は、発熱する電気素子を実装した回路基板を備えた電子機器に関するものである。
【背景技術】
【０００２】
デジタルカメラでは通常、ズームレンズで撮像素子上に光学像を結像させ、撮像素子にて光電変換して得られた画像データ、例えばＪＰＥＧ等のファイル形式の画像データに圧縮処理が施され、内部メモリーに一旦データを蓄積したうえで記録媒体に保存される。
【０００３】
このようなデジタルカメラは、小型化として内部メカ機構の省スペース化や、電子部品の高密度実装化が進んでいる中、高性能の一つの要素とて高画素化が急速に進んでいる。
【０００４】
撮像素子から得られたアナログ信号をデジタル信号に変換する等の処理を行う素子や、デジタル信号を使用者が求める最適な状態に変換する演算処理を行う画像処理用半導体素子等は、高画素化に伴って処理回数が増大している。
【０００５】
そして、これらの素子は高速処理を行う為に高周波で駆動させられるが、１画素を処理するために必要な電荷は殆ど減少していないため、素子の発熱量は増加する傾向にある。
【０００６】
一方、デジタルカメラの小型化に伴い、内部の放熱空間は少なくなる傾向にあり、内部空間に放熱しきれずに蓄積された熱は、撮像素子の性能劣化による画質劣化や、他の内部素子等に直接ダメージを与える原因となる。
【０００７】
この課題に対して、発熱する電子素子が実装される回路基板と、回路基板を固定するフレームとの間にフレームより高い熱伝導性をもった放熱部材を挟み、発熱する電子素子と放熱部材の間に放熱ゴムを介して接触させることが提案されている（特許文献１参照）。
【先行技術文献】
【特許文献】
【０００８】
【特許文献１】特開２００７−１３４６１０号公報
【発明の概要】
【発明が解決しようとする課題】
【０００９】
しかしながら、特許文献１に開示されるデジタルカメラでは、発熱する電子素子と放熱部材を放熱ゴムを介して接触させ放熱させることで熱を移動させ、その放熱部材からリアケース４０へと熱を導き、機器外部へと熱を放出させている。しかしリアケースは外装部材であり、ユーザーが容易に触れる箇所であるため、局部的に温められたリアケース部位が極端に高温になってしまう場合、ユーザーに違和感を与えてしまうことが考えられる。
【００１０】
本発明は、電子機器を大型化することなく、少ない部品点数で放熱性能を向上させつつ、ユーザーが機器を保持するグリップが高温化してユーザーに違和感を与えない様な構造を提供すること目的とする。
【課題を解決するための手段】
【００１１】
上記目的を達成するために、本発明の電子機器は、電子機器の前面を覆い、一部が膨出したグリップを有する金属製の外装カバーと、前記外装カバーの外側に固定され金属よりも熱伝導率の低い材料からなる化粧部材と、熱が発生する電気素子が実装される回路基板と、前記電子素子の表面に接触する弾性かつ熱伝導性を有する第１の熱伝導部材と、前記外装カバーの内壁面に接触する弾性かつ熱伝導性を有する第２の熱伝導部材と、前記第１および第２の熱伝導部材の表面に接触する伝熱部材と、を有し、前記外装カバーの膨出部と非膨出部との間には開口部が設置され、前記第２の熱伝導部材は前記外装カバーの非膨出部の内壁面に接触し、前記外装カバーの開口部は前記化粧部材にて塞がれていることを特徴としている。
【発明の効果】
【００１２】
本発明によれば、電子機器を大型化することなく、少ない部品点数で放熱性能を向上させつつ、ユーザーが機器を保持するグリップが高温化してユーザーに違和感を与えない様にすることができる。
【図面の簡単な説明】
【００１３】
【図１】デジタルカメラ１の内部構造を説明する断面図である。
【図２】デジタルカメラ１の外観図である。
【図３】デジタルカメラ１の分解斜視図である。
【図４】フロントカバー構成部品の分解斜視図である。
【発明を実施するための形態】
【００１４】
［実施例１］
以下に、本発明の好ましい実施の形態を、添付の図面に基づいて詳細に説明する。
【００１５】
（第１の実施の形態）
図２は、本発明を実施した電子機器の第１の実施形態としてのデジタルカメラ１の外観斜視図である。図２（ａ）は、正面側から見たデジタルカメラ１の外観斜視図であり、図２（ｂ）は、背面側から見たデジタルカメラ１の外観斜視図であり、図２（ｃ）は、上面から見たデジタルカメラ１の外観図である。
【００１６】
デジタルカメラ１には、被写体像を撮像素子に結像する撮影レンズ鏡筒２が固定されている。撮影レンズ鏡筒２は、デジタルカメラ１が使用状態となるときには、図２（ａ）に図示するように、繰り出す沈胴式のズームレンズである。
【００１７】
撮影レンズ鏡筒２の後方には、光学像を光電変換して画像データを生成するＣＣＤやＣＭＯＳイメージセンサ等の撮像素子が配置されている。
【００１８】
またデジタルカメラ１には、撮像素子からの出力に対して画像処理を行う処理回路を実装した回路基板（詳細後述）が配置されている。
【００１９】
図２（ａ）に図示するように、デジタルカメラ１の上方には、ストロボ発光窓３、レリーズボタン４、ズームレバー５、電源ボタン６が設けられている。レリーズボタン４は２段階の押圧操作が可能となっている。レリーズボタン４に１段目の押圧操作を行うことで、撮影準備動作（測光動作や測距動作等）が開始される。レリーズボタン４に２段目の押圧操作を行うことで、被写体を撮影し、記録媒体に被写体像の画像データを記録する。ズームレバー５はレリーズボタン４の外周に配置された回転操作型のレバーである。電源ボタン６は、押圧操作されることで、デジタルカメラ１を使用状態（撮影可能状態）と非使用状態（撮影不能状態）に切り換える。電源ボタン６によって使用状態に切り換えられるとき、沈胴している撮影レンズ鏡筒２が繰り出されて、デジタルカメラ１は撮影可能状態となる。
【００２０】
図２（ａ）に図示するように、デジタルカメラの左方にはユーザーが撮影時に機器を右手で保持しやすいように、カメラ前方方向に膨出したグリップ部１ａが設けられている。
【００２１】
撮影レンズ鏡筒２の上方には、デジタルカメラ１に内蔵したマイクに音声を取り込む一対のマイク穴１ｂが設けられている。
【００２２】
デジタルカメラ１の下方には、不図示の電池蓋が設けられている。電池蓋は、デジタルカメラ１の電源となる電池を収納する電池収納室および撮影された画像データを記録する記録媒体を収納する収納室を開閉する。
【００２３】
図２（ｂ）に図示するように、デジタルカメラ１の側面には、電源や信号の入出力用ジャックが設けられ、ジャック保護用のカバー部材８が入出力用ジャックを覆っている。カバー部材８を開くことで、入出力用ジャックへの各種ケーブル類の抜き差しが可能となる。
【００２４】
図２（ｂ）に図示するように、デジタルカメラ１の背面には、表示モニタ９が設けられている。表示モニタ９の横には、複数の操作ボタン１０が設けられている。複数の操作ボタン１０中央に配置された十字ボタンは、上下左右４箇所と中央部１箇所に対して押し込み操作が可能となっている。
図２（ｃ）に図示するように、前述したグリップ部１ａが他の部分より膨出しており、このグリップ部を保持することで、ユーザーが誤って機器を落下させてしまうのを防いでいる。
【００２５】
次に、デジタルカメラ１の内部構造について説明する。
【００２６】
図３は、デジタルカメラ１の分解斜視図である。
【００２７】
デジタルカメラ１は、フロントカバー２０およびリアカバー４０の２つの金属製外装カバー、トップカバー５０およびサイドカバー６０の２つの樹脂製外装カバーで覆われている。フロントカバー２０の内側には、インナー部材２１が不図示の両面テープで接着固定されている。インナー部材２１は絶縁性および低い熱伝導率（断熱性）を有する樹脂材料で形成されている。フロントカバー２０には、レンズ鏡筒２の周囲に配置される金属材料で形成される化粧リング２３が接着固定される。
【００２８】
フロントカバー２０の外側には、化粧部材２６とグリップ性を向上させるラバー部材２７が嵌め込まれる。化粧部材２６は、絶縁性および低い熱伝導率（断熱性）を有する樹脂材料で形成されている。ラバー部材は２色成型によって得られる部材であり、デジタルカメラの外表面側を弾力のある熱可塑性エラストマー、内側を絶縁性および低い熱伝導率（断熱性）を有する樹脂材料で形成されている。
【００２９】
フロントカバー２０には、前述の膨出したグリップ部２０ａ（デジタルカメラ組み立て状態では、１ａと説明した）と、それ以外の非膨出部である２０ｂと、非膨出部から延出された延出部２０ｃが形成されている。また膨出したグリップ部２０ａと延出部２０ｃとの間には開口部２０ｄが設けられている。この開口部２０ｄを覆うように、フロントカバー２０の外側には化粧部材２６とラバー部材２７が配置され、フロントカバー２０の内側にはインナー部材２１が配置される。
【００３０】
インナー部材２１とラバー部材２７とでフロントカバーの延出部２０ｃ及び化粧部材を挟む様にして、ネジ締結（詳細後述）することで、化粧部材２６とラバー部材２７はフロントカバーに固定される。
【００３１】
デジタルカメラ１の内部には、被写体像を撮像素子に結像する撮影レンズ鏡筒２が略中央に配置される。図３において、撮影レンズ鏡筒２の右側にはストロボ発光窓３を有するストロボユニットが配置され、撮影レンズ鏡筒２の左側には回路基板１４が配置されている。回路基板１４には、デジタルカメラ１の動作を制御し、動作時に発熱する電気素子であるＣＰＵ１４ａおよび、様々な信号を一時的記憶するメインメモリー１４ｂが実装されている。この回路基板１４は、デジタルカメラの主構造体である金属からなるメインシャーシ（不図示）にネジ固定されている。
【００３２】
回路基板１４とインナー部材２１との間には、高い熱伝導率を有する金属材料で形成された伝熱部材２２が配置されている。伝熱部材２２はネジ２８を用いてメインシャーシに締結されている。この伝熱部材２２の回路基板側には、高い熱伝導率を有する熱伝導ゴム２９および３０が貼り付けられており、ＣＰＵ１４ａおよびメインメモリー１４ｂの表面に弾性接触するようにしてある。また、伝熱部材２２のフロントカバー側には、高い熱伝導率を有する熱伝導ゴム３１が貼り付けられており、フロントカバー内側に弾性接触するようにしてある。
【００３３】
これにより、電気素子１４ａ、１４ｂから発熱した熱は、熱伝導ゴム２９、３０を介して伝熱部材２２に伝えられる。伝熱部材２２に伝えられた熱はネジ２８部からメインシャーシへと伝えられる熱経路と、熱伝導ゴム３１を介してフロントカバーの非膨出部２０ｂへも伝熱される熱経路によって熱拡散される。また、伝熱部材２２はメインシャーシと電気的に同電位であり、回路基板の上空に配置されるため、回路基板１４から放出される電磁波をシールドする効果もある。なお、フロントカバーは熱伝導率が１００Ｗ／ｍＫ以上の高熱伝導アルミ材料を使用し、フロントカバーの表面は熱が放射しやすいよう、放射率が０．９以上となるものを用いている。
【００３４】
次に、フロントカバーに取り付ける部品構成に関して、図４を用いて説明する。
【００３５】
図４は、フロントカバーに取り付ける部品の背面方向より見た展開斜視図である。
【００３６】
ラバー部材の裏面にはネジ固定用のセルフタップ部２７ｃ、２７ｄ、２７ｅが設けられている。３３ａ、３３ｂ、３３ｃはネジであり、インナー部材２１フロントカバーの延出部２０ｃおよび化粧部材２６に設けられた穴を挿通し、先ほどのラバー部材のセルフタップ部２７ｃ、２７ｄ、２７ｅに締結される。
【００３７】
フロントインナー２１ａには図３で説明した熱伝導ゴム３１を避ける様に、開口部２１ａが設けられている。フロントカバーの開口部２０ｄの周囲には半抜き２０ｅが施されており、開口による強度低下を補うようにしてある。
【００３８】
次に、デジタルカメラ１のグリップ部の断面構成および熱伝達経路について説明する。
【００３９】
図１は、デジタルカメラのグリップ部の構成を説明する図であり、図２におけるＸの位置で切断した断面図である。
【００４０】
２０ａはフロントカバーの膨出したグリップであり、２０ｂは非膨出部、２０ｃは非膨出部から延びた延出部、２０ｄは開口部であり、２０ｅは開口部周囲の半抜き部である。２６は化粧部材であり、フロントカバーの開口部２０ｄおよび半抜き部２０ｅを覆い、延出部２０ｃに当接するように配置される。２７ａは２色成形された弾性を有するエラストマー部、２７ｂは樹脂部である。ここでは樹脂部２７ｂにＰＣ（ポリカーボネイト）を用い、樹脂部にセルフタップ部２７ｄを設けている。
【００４１】
図４で説明した２７ｃ、２７ｅも同様に樹脂部に設けられている。２１はインナー部材であり、フロントカバーの内面に沿う形状となっており、フロントカバーに両面テープ２４で固定されている。フロントカバーに２０ｄの様な開口部を設けると、どうしてもフロントカバーの剛性が低下してしまい、グリップ部２０ａをユーザーが握った時に変形しやすく、デジタルカメラの品位の低下につながる。フロントカバーの剛性の低下を防ぐために、フロントカバーの開口部２０ｄは外観側を化粧部材２６によって塞ぎ、内観側インナー部材２１によって塞がれるようにし、ネジ３３ｂによってラバー部材２７、化粧部材２６、フロントカバーの延出部２０ｃ、インナー部材２１を共締め固定している。こうすることで、フロントカバーの剛性が保たれるようになる。
【００４２】
１４は回路基板、１４ａは回路基板に実装されたＣＰＵ、１４ｂは同じく回路基板に実装されたメインメモリーであり、この二つの電気素子は本デジタルカメラの主たる熱源となっている。ＣＰＵ１４ａおよびメインメモリー１４ｂ表面に接触する様に、熱伝導ゴム２９および３０が配置されている。ＣＰＵ１４ａおよびメインメモリー１４ｂにて発生した熱は、熱伝導ゴム２９および３０を介して放熱板２２に伝わり、熱伝導ゴム３１を介して、フロントカバーの非膨出部２０ｂへと伝わるようになっている。そして熱はフロントカバーの延出部２０ｃまで伝わるが、開口部２０ｄが断熱部となり膨出したグリップ部へは伝わらないようにした。
【００４３】
こうすることで、本デジタルカメラの主たる熱源であるＣＰＵ１４ａおよびメインメモリー１４ｂにて発生した熱は、ユーザーが保持するグリップ２０ａに伝わりにくい構造とすることができた。また、グリップ２０ａの内側には、インナー部材２１を配置しているため、デジタルカメラ内部からの放射熱を受熱しにくくなっており、グリップ部２０ａは高温化しにくい。
【００４４】
本実施形態では、このような構成によって、ユーザーが保持するデジタルカメラ１のグリップが高温化してユーザーに違和感を与えない様な構造を提供することができる。
【００４５】
以上、本発明の好ましい実施形態について説明したが、本発明はこれらの実施形態に限定されず、その要旨の範囲内で種々の変形及び変更が可能である。
【符号の説明】
【００４６】
１  デジタルカメラ
１ａ  グリップ部
１４  回路基板
１４ａ  電気素子（ＣＰＵ）
１４ｂ  電気素子（メインメモリー）
２０  フロントカバー
２０ａ  膨出したグリップ部
２０ｂ  非膨出部
２０ｃ  延出部
２０ｄ  開口部
２０ｅ  半抜き部
２１  インナー部材
２２  伝熱部材
２６  化粧部材
２７  ラバー部材
２９  熱伝導ゴム
３０  熱伝導ゴム
３１  熱伝導ゴム
【図１】
2015114524.tif 000003
【図２】
2015114524.tif 000004
【図３】
2015114524.tif 000005
【図４】
2015114524.tif 000006